(57)【要約】  設定対象となる設定装置と、端末装置と、設定装置及び端末装置のそれぞれと接続されているサーバと、を有する。設定装置の設定を行う設定システムの、端末装置が、設定装置を設定するための情報である設定情報を、設定装置から読み取ることによって取得し、取得した設定情報をサーバに送信する。サーバが、設定情報送信手段から送信されてきた設定情報を受信する。サーバが、設定情報に基づいて設定対象とすべき設定装置を選択し、当該選択した設定装置に対して設定の実行を指示する。設定装置が、設定指示手段の指示に従って自身の設定を行う。
2012053145.tif 000002
【特許請求の範囲】
【請求項１】
設定対象となる設定装置と、端末装置と、前記設定装置及び端末装置のそれぞれと接続されているサーバと、を有し、前記設定装置の設定を行う設定システムにおいて、
前記端末装置が、
前記設定装置を設定するための情報である設定情報を前記設定装置から読み取ることによって取得する読み取り手段と、
前記取得した設定情報を前記サーバに送信する設定情報送信手段と、を備え、
前記サーバが、
前記設定情報送信手段から送信されてきた前記設定情報を受信する設定情報受信手段と、
前記設定情報に基づいて設定対象とすべき前記設定装置を選択し、当該選択した設定装置に対して設定の実行を指示する設定指示手段と、を備え、
前記設定装置が、前記設定指示手段の指示に従って自身の設定を行う設定手段を備えていることを特徴とする設定システム。
【請求項２】
請求項１に記載の設定システムにおいて、
前記設定手段は、前記設定を行った後に、当該設定された後の状況を示す情報を設定状況として前記サーバに対して送信し、
前記サーバは、
ユーザに対して情報を提示するための表示手段と、
前記設定状況を受信し、当該受信した設定状況を前記表示部に表示させる設定状況確認手段を更に備えていることを特徴とする設定システム。
【請求項３】
請求項１に記載の設定システムにおいて、
前記設定手段は、前記設定を行った後に、当該設定された後の状況を示す情報を設定状況として前記サーバに対して送信し、
前記サーバは、
前記設定状況を受信し、当該受信した設定状況を前記端末装置に対して送信する設定状況確認手段を更に備え、
前記端末装置は、
ユーザに対して情報を提示するための表示手段と、
前記設定状況確認手段から送信された前記設定状況を受信し、当該受信した設定状況を前記表示部に表示させる設定状況受信手段を更に備えていることを特徴とする設定システム。
【請求項４】
請求項１乃至３の何れか１項に記載の設定システムにおいて、
前記設定装置は、設定対象とするデバイスを配下に少なくとも一つ以上有しており、
前記設定手段は、前記設定指示手段の指示に従って前記配下のデバイスの何れかの設定を行うことを特徴とする設定システム。
【請求項５】
請求項１乃至４の何れか１項に記載の設定システムにおいて、
前記読み取り手段は、前記設定情報が記述されたコードである設定情報コードを前記設定装置から読み取り、当該読み取った前記設定情報コードを前記設定情報に変換することにより前記設定情報の取得を行うことを特徴とする設定システム。
【請求項６】
請求項１乃至５の何れか１項に記載の設定システムにおいて、当該設定システムは前記サーバを少なくとも一つ以上有しており、
前記設定情報送信手段は、前記少なくとも一つ以上のサーバの中の、予め送信先として指定されているサーバに対して前記設定情報を送信することを特徴とする設定システム。
【請求項７】
設定対象となる設定装置と、端末装置と、のそれぞれと接続されているサーバにおいて、
前記端末装置が前記設定装置から読み取った、前記設定装置を設定するための情報である設定情報を、前記端末装置から受信する設定情報受信手段と、
前記設定情報に基づいて設定対象とすべき前記設定装置を選択し、当該選択した設定装置に対して設定の実行を指示する設定指示手段と、
ユーザに対して情報を提示するための表示手段と、
前記指示に応じて設定を行った前記設定装置から、当該設定された後の状況を示す情報を設定状況として受信し、当該受信した設定状況を前記表示部に表示させる設定状況確認手段と、
を備えていることを特徴とするサーバ。
【請求項８】
設定対象となる設定装置に接続されているサーバと接続されている端末装置において、
前記設定装置を設定するための情報である設定情報を前記設定装置から読み取ることによって取得する読み取り手段と、
前記取得した設定情報を前記サーバに送信する設定情報送信手段と、
ユーザに対して情報を提示するための表示手段と、
前記設定情報に基づいて前記サーバが行う設定指示に従って設定を行った前記設定装置の当該設定された後の状況を示す情報を、設定状況として前記サーバから受信し、当該受信した設定状況を前記表示部に表示させる設定状況受信手段と、
を備えていることを特徴とする端末装置。
【請求項９】
設定対象となる設定装置と、端末装置と、前記設定装置及び端末装置のそれぞれと接続されているサーバと、を有したシステムが行う前記設定装置の設定方法において、
前記端末装置が、前記設定装置を設定するための情報である設定情報を前記設定装置から読み取ることにより取得する読み取りステップと、
前記端末装置が、前記読み取った設定情報を前記サーバに送信する設定情報送信ステップと、
前記サーバが、前記設定情報送信ステップによって前記端末装置から送信されてきた前記設定情報を受信する設定情報受信ステップと、
前記サーバが、前記設定情報に基づいて設定対象とすべき前記設定装置を選択し、当該選択した設定装置に対して設定の実行を指示する設定指示ステップと、
前記設定装置が、前記設定指示ステップの指示に従って自身の設定を行う設定ステップと、
を備えていることを特徴とする設定方法。
【請求項１０】
設定対象となる設定装置と、端末装置と、のそれぞれと接続されているサーバに搭載される、前記設定装置の設定プログラムにおいて、
前記端末装置が前記設定装置から読み取った、前記設定装置を設定するための情報である設定情報を、前記端末装置から受信する設定情報受信手段と、
前記設定情報に基づいて設定対象とすべき前記設定装置を選択し、当該選択した設定装置に対して設定の実行を指示する設定指示手段と、
ユーザに対して情報を提示するための表示手段と、
前記指示に応じて設定を行った前記設定装置から、当該設定された後の状況を示す情報を設定状況として受信し、当該受信した設定状況を前記表示部に表示させる設定状況確認手段と、
を備えているサーバとしてコンピュータを機能させることを特徴とする設定プログラム。
【発明の詳細な説明】
【技術分野】
【０００１】
本発明は、設定情報に基づいて目的の装置を設定することに関する。
【背景技術】
【０００２】
複数のコンピュータからなるシステムであって、設定情報に基づいて目的の装置を設定するシステムの一例が、特許文献１に記載されている。【０００３】
図１６は、特許文献１における図１に相当する図である。特許文献１に記載の設定システムは、携帯電話機４と、認証サーバ１１と、ＤＢサーバ１２と、認証用プレート２１と、物品用プレート２２と、二次元コード２３（２３ａ，２３ｂ）を有している。【０００４】
このような構成を有する特許文献１に記載の設定システムは次のように動作する。【０００５】
認証サーバ１１は、携帯電話機４からの受信データが認証プレート２１の二次元コードデータなのか物品用プレート２２の二次元コードデータなのかを判断する。判断の結果、認証サーバ１１は、認証プレート２１の二次元コードデータの場合にはそのデータ中の端末固有情報と業務実行場所識別データとをアクセス許可テーブルに記憶させる。一方、物品用プレート２２の二次元コードデータの場合には、認証サーバ１１は、そのデータ中の端末固有情報がアクセス許可テーブルに存在するか検索する。そして、認証サーバ１１は、存在する場合には業務起動を示す画面情報を通信端末に送信し、存在しない場合にはアクセス不可を示す画面情報を通信端末に送信する。【０００６】
また、設定システムの他の一例が、特許文献２に記載されている。【０００７】
図１７は、特許文献２における図１に相当する図である。特許文献２に記載の設定システムは、携帯電話機（通信端末）４と、物品管理サーバ１１と、ＰＣ１２と、プリンタ１３と、認証用プレート（認証用コード媒体）２１と、物品用プレート（ 物品用コード表示媒体）２２と、確認用プレート（確認用コード媒体）２３と、二次元コード２４（２４ａ〜２４ｃ）とを有している。【０００８】
このような構成を有する特許文献２に記載の設定システムは次のように動作する。【０００９】
店舗で使用されるＰＯＳ端末、カウンタ、ゴンドラ等の物品毎に、物品用コード表示媒体２２が設けられている。物品用コード表示媒体２２には、その物品固有の物品識別情報を含む物品管理用コードが表示されている。また、設定システムは、通信端末４を備えている。通信端末４は、物品用コード表示媒体２２に表示された物品管理用コードを読取り可能なコード読取り部を有する。更に、通信端末４により接続可能なネットワーク上に、各店舗がそれぞれ保有する物品の情報を管理する物品管理サーバ１１を設ける。物品管理サーバ１１は、通信端末４で読取られた物品用コード表示媒体２２の物品管理用コードに基づいて、店舗で使用される物品の所在を管理する。
【先行技術文献】
【特許文献】
【００１０】
【特許文献１】特開２００６−１８５１１０号公報（第１頁、第１図）
【特許文献２】特開２００６−２８５６５０号公報（第１頁、第１図）
【発明の概要】
【発明が解決しようとする課題】
【００１１】
上述したような技術を用いることにより、端末のコード読み取り機能を利用して設定をすることが可能となる。しかし、上述したような技術には、下述のような複数の問題点が存在している。【００１２】
第１の問題点は、コードを読み取った端末に対してのみ設定を行うことができ、他の端末や装置の設定はできないということである。【００１３】
その理由は、コードを読み取った端末の認証のみを行ない、認証した結果でコードを読み取った端末のアクセス可否の設定を行なうためである。【００１４】
第２の問題点は、複数の端末や装置の設定が行なえないということである。【００１５】
その理由は上述の第１の問題点の理由と同じであり、コードを読み取った端末の認証のみを行ない、認証した結果でコードを読み取った端末のみのアクセス可否の設定を行なうためである。【００１６】
そこで、本発明は、コードを読み取った端末以外の端末や装置に対して設定を行うことが可能な、設定システム、サーバ、端末装置、設定方法、及び設定プログラムを提供することを目的とする。
【課題を解決するための手段】
【００１７】
本発明の第１の観点によれば、設定対象となる設定装置と、端末装置と、前記設定装置及び端末装置のそれぞれと接続されているサーバと、を有し、前記設定装置の設定を行う設定システムにおいて、前記端末装置が、前記設定装置を設定するための情報である設定情報を前記設定装置から読み取ることによって取得する読み取り手段と、前記取得した設定情報を前記サーバに送信する設定情報送信手段と、を備え、前記サーバが、前記設定情報送信手段から送信されてきた前記設定情報を受信する設定情報受信手段と、前記設定情報に基づいて設定対象とすべき前記設定装置を選択し、当該選択した設定装置に対して設定の実行を指示する設定指示手段と、を備え、前記設定装置が、前記設定指示手段の指示に従って自身の設定を行う設定手段を備えていることを特徴とする設定システムが提供される。【００１８】
本発明の第２の観点によれば、設定対象となる設定装置と、端末装置と、のそれぞれと接続されているサーバにおいて、前記端末装置が前記設定装置から読み取った、前記設定装置を設定するための情報である設定情報を、前記端末装置から受信する設定情報受信手段と、前記設定情報に基づいて設定対象とすべき前記設定装置を選択し、当該選択した設定装置に対して設定の実行を指示する設定指示手段と、ユーザに対して情報を提示するための表示手段と、前記指示に応じて設定を行った前記設定装置から、当該設定された後の状況を示す情報を設定状況として受信し、当該受信した設定状況を前記表示部に表示させる設定状況確認手段と、を備えていることを特徴とするサーバが提供される。【００１９】
本発明の第３の観点によれば、設定対象となる設定装置に接続されているサーバと接続されている端末装置において、前記設定装置を設定するための情報である設定情報を前記設定装置から読み取ることによって取得する読み取り手段と、前記取得した設定情報を前記サーバに送信する設定情報送信手段と、ユーザに対して情報を提示するための表示手段と、前記設定情報に基づいて前記サーバが行う設定指示に従って設定を行った前記設定装置の当該設定された後の状況を示す情報を、設定状況として前記サーバから受信し、当該受信した設定状況を前記表示部に表示させる設定状況受信手段と、を備えていることを特徴とする端末装置が提供される。【００２０】
本発明の第４の観点によれば、設定対象となる設定装置と、端末装置と、前記設定装置及び端末装置のそれぞれと接続されているサーバと、を有したシステムが行う前記設定装置の設定方法において、前記端末装置が、前記設定装置を設定するための情報である設定情報を前記設定装置から読み取ることにより取得する読み取りステップと、前記端末装置が、前記読み取った設定情報を前記サーバに送信する設定情報送信ステップと、前記サーバが、前記設定情報送信ステップによって前記端末装置から送信されてきた前記設定情報を受信する設定情報受信ステップと、前記サーバが、前記設定情報に基づいて設定対象とすべき前記設定装置を選択し、当該選択した設定装置に対して設定の実行を指示する設定指示ステップと、前記設定装置が、前記設定指示ステップの指示に従って自身の設定を行う設定ステップと、を備えていることを特徴とする設定方法が提供される。【００２１】
本発明の第５の観点によれば、設定対象となる設定装置と、端末装置と、のそれぞれと接続されているサーバに搭載される、前記設定装置の設定プログラムにおいて、前記端末装置が前記設定装置から読み取った、前記設定装置を設定するための情報である設定情報を、前記端末装置から受信する設定情報受信手段と、前記設定情報に基づいて設定対象とすべき前記設定装置を選択し、当該選択した設定装置に対して設定の実行を指示する設定指示手段と、ユーザに対して情報を提示するための表示手段と、前記指示に応じて設定を行った前記設定装置から、当該設定された後の状況を示す情報を設定状況として受信し、当該受信した設定状況を前記表示部に表示させる設定状況確認手段と、を備えているサーバとしてコンピュータを機能させることを特徴とする設定プログラムが提供される。
【発明の効果】
【００２２】
本発明によれば、コードを読み取った端末以外の端末や装置を設定することが可能となる。【００２３】
その理由は、携帯端末が設定装置に取り付けられた設定情報を読み取り、携帯端末が設定情報をサーバに送信し、サーバが携帯端末で読み取った設定情報を使い設定装置に設定を指示し、設定装置がサーバから送られた設定指示に従って設定を行なうためである。
【図面の簡単な説明】
【００２４】
上述した目的、およびその他の目的、特徴および利点は、以下に述べる好適な実施の形態、およびそれに付随する以下の図面によってさらに明らかになる。【００２５】
【図１】第１の実施形態の基本的構成を示すブロック図である。
【図２】第１の実施形態の動作全体を示す流れ図である。
【図３】第１又は第２の実施形態の動作を示す流れ図である。
【図４】第１又は第２の実施形態の動作を示す流れ図である。
【図５】第１又は第２の実施形態の動作を示す流れ図である。
【図６】第１の実施形態の動作を示す流れ図である。
【図７】第２の実施形態の基本的構成を示すブロック図である。
【図８】第２の実施形態の動作を示す流れ図である。
【図９】第２の実施形態の動作を示す流れ図である。
【図１０】第１の実施形態の具体例である実施例１の基本的構成を示すブロック図である。
【図１１】第２の実施形態の具体例である実施例２の基本的構成を示すブロック図である。
【図１２】第１又は第２の実施形態の動作の具体例を示す図（１／３）である。
【図１３】第１又は第２の実施形態の動作の具体例を示す図（２／３）である。
【図１４】第１又は第２の実施形態の動作の具体例を示す図（３／３）である。
【図１５】第１及び第２の実施形態の変形例である実施例３について説明するためのブロック図である。
【図１６】公知の設定システムの一例を示した図である。
【図１７】公知の設定システムの一例を示した図である。
【発明を実施するための形態】
【００２６】
次に、本発明の第１の実施形態について図面を参照して詳細に説明する。
【００２７】
図１を参照すると、第１の実施形態は、サーバ１００と、設定装置２００と、携帯端末３００を有している。
【００２８】
サーバ１００、設定装置２００及び携帯端末３００は、それぞれプログラム制御により動作するコンピュータ（中央処理装置；プロセッサ；データ処理装置）を有している。具体的には、サーバ１００、設定装置２００及び携帯端末３００は、ＣＰＵ（Central Processing Unit）に代表される演算処理装置と、コンピュータを制御するためのプログラム（ソフトウェア）が格納された記憶装置及びその他のハードウェアを有している。そして、演算処理装置が記憶装置からプログラムを読み込み、このプログラムに従って各ハードウェアを制御することによりサーバ１００、設定装置２００及び携帯端末３００は実現される。
【００２９】
また、サーバ１００は、設定装置２００と、携帯端末３００のそれぞれとネットワークを介して接続されている。このネットワークは、例えばインターネットや携帯電話網といった公衆網である。もっとも、本実施形態の適用範囲はこれに限定されるものではない。インターネット以外の他のネットワークや、専用線により接続されていてもよい。また、その接続は無線接続であってもよいし、その一部若しくは全部が有線接続であってもよい。
【００３０】
更に、図１においては、サーバ１００、設定装置２００及び携帯端末３００がそれぞれ一台ずつ図示されているが、これは本実施の形態の適用範囲を限定する趣旨ではない。本実施の形態ではサーバ１００、設定装置２００及び携帯端末３００がそれぞれ複数存在していてもよい。
【００３１】
サーバ１００は、設定状況確認部１０１と、表示部１０２と、設定指示部１０３と、設定情報受信部１０４とを含む。これらの各部はそれぞれ概略次のように動作する。
【００３２】
設定情報受信部１０４は、携帯端末３００から送信されてきた設定情報を受信し、受信した設定情報を設定指示部１０３に送る。ここで、「設定情報」とは、少なくとも設定対象とすべき設定装置を識別するための情報を含んだ情報であるとする。設定情報は、設定装置の識別情報を一つのみ含んでいてもよいし、複数の設定装置の識別情報を含んでいてもよい。
【００３３】
設定指示部１０３は、設定情報受信部１０４から送られた設定情報を受け取り、受け取った設定情報をもとに設定先の設定装置２００を選択する。更に設定指示部１０３は、受け取った設定情報に基づいて選択した設定装置２００に設定を指示する。
【００３４】
設定状況確認部１０１は、設定装置２００から送信されてきた設定状況を受け取り、受け取った設定状況を表示部１０２に送る。ここで、「設定状況」とは、設定された装置が動作することにより検知可能となった情報、若しくは、設定された装置の動作状況を示す情報を指すものとする。
【００３５】
表示部１０２は、設定状況確認部１０１から送られてきた設定状況を受け取り、受け取った設定状況を表示する。なお、表示部１０２は図１に示されるようにサーバ１００自身が備えていてもよいが、外部の表示装置に出力されるようにしてもよい。またサーバ１００は、表示部１０２に表示すると共に、又は表示に代えて、例えば紙媒体に印刷することにより出力するようにしてもよい。
【００３６】
設定装置２００は、設定部２０１と、設定情報コード２０２とを含む。
【００３７】
設定部２０１は、サーバ１００から送信されてきた設定指示を受け取り、受け取った設定指示に従い設定装置２００を設定し、設定した情報を設定状況としてサーバ１００に送る。
【００３８】
設定情報コード２０２は、設定装置２００を設定するための情報である設定情報を記述してあるコードである。
【００３９】
携帯端末３００は、コード読取部３０２と、設定情報送信部３０１とを含む。これらの各部はそれぞれ概略次のように動作する。
【００４０】
コード読取部３０２は、携帯端末３００で設定装置２００に取り付けられた設定情報コード２０２を読み取る。そしてコード読取部３０２は、読み取った設定情報コード２０２を設定情報に変換し、変換した設定情報を設定情報送信部３０１に送る。
【００４１】
設定情報送信部３０１は、コード読取部３０２から送られてきた設定情報を受け取り、受け取った設定情報をサーバ１００に送信する。なお、上述したように本実施の形態においては、サーバ１００が複数存在している場合もあり得る。このようにサーバ１００が複数存在する場合は、予め送信先とするサーバ１００を指定しておくようにする。
【００４２】
次に、図１のブロック図、並びに、図２、図３、図４、図５及び図６のフローチャートを参照して本実施の形態の全体の動作について詳細に説明する。
【００４３】
図２に示すフローチャートは、本実施形態の動作全体の概略を示すものである。図３は図２におけるステップＳ１０の詳細を示す図である。図４は図２におけるステップＳ２０の、図５は図２におけるステップＳ３０の、図６は図２におけるステップＳ４０の詳細を示す図である。
【００４４】
図２に示すように、まず、携帯端末３００が設定装置２００に取り付けられた設定情報コード２０２を読み取る（図２のステップＳ１０）。
【００４５】
次に、サーバ１００が携帯端末３００の読み取った設定情報を用いて設定装置２００に設定を指示する（ステップＳ２０）。
【００４６】
更に、設定装置２００がサーバ１００から送られてきた設定指示に従って設定を行なう（ステップＳ３０）。
【００４７】
最後に、サーバ１００が設定装置２００に設定された設定状況を表示する（ステップＳ４０）。
【００４８】
以上が本実施形態の動作の概略である。
【００４９】
次に、図３を参照して図２のステップＳ１０の詳細をステップＳ１１〜ステップＳ１５に分けて説明する。
【００５０】
まず、携帯端末３００のコード読取部３０２が、設定装置２００に取り付けられた設定情報コード２０２を読み取る（図３のステップＳ１１）。
【００５１】
次に、携帯端末３００のコード読取部３０２が、読み取った設定情報コード２０２を設定情報に変換する（ステップＳ１２）。
【００５２】
更に、変換した設定情報をコード読取部３０２から携帯端末３００の設定情報送信部３０１に送る（ステップＳ１３）。
【００５３】
更に、設定情報送信部３０１が設定情報を前もって指定してあるサーバ１００に送信する（ステップＳ１４）。
【００５４】
最後に、サーバ１００が携帯端末３００から送信された設定情報を受信する（ステップＳ１５）。
【００５５】
続いて、図４を参照して図２のステップＳ２０の詳細をステップＳ２１〜ステップＳ２５に分けて説明する。
【００５６】
まず、サーバ１００の設定情報受信部１０４が携帯端末３００から送信された設定情報を受信する（図４のステップＳ２１）。
【００５７】
次に、受信した設定情報を設定情報受信部１０４からサーバ１００の設定指示部１０３に送る（ステップＳ２２）。
【００５８】
更に、設定指示部１０３が受け取った設定情報をもとに設定先の設定装置２００を選択する（ステップＳ２３、ステップＳ２４）。
【００５９】
最後に、設定指示部１０３が設定情報をもとに選択した設定装置２００に設定指示を送る（ステップＳ２５）。
【００６０】
更に、図５を参照して図２のステップＳ３０の詳細をステップＳ３１〜ステップＳ３３に分けて説明する。
【００６１】
まず、設定装置２００の設定部２０１がサーバ１００から送られた設定指示を受け取る（図５のステップＳ３１）。
【００６２】
次に、設定部２０１が受け取った設定指示に従い設定装置２００を設定する（ステップＳ３２）。
【００６３】
最後に、設定部２０１が設定装置２００を設定した情報を設定状況としてサーバ１００に送る（ステップＳ３３）。
【００６４】
次に、図６を参照して図２のステップＳ４０の詳細をステップＳ４１〜ステップＳ４３に分けて説明する。
【００６５】
まず、サーバ１００の設定状況確認部１０１が設定装置２００から送られた設定状況を受け取る（図６のステップＳ４１）。
【００６６】
次に、設定状況確認部１０１が受け取った設定状況をサーバ１００の表示部１０２に送る（ステップＳ４２）。
【００６７】
最後に、表示部１０２が設定状況確認部１０１から送られた設定状況を表示する（ステップＳ４３）。
【００６８】
次に、本実施の形態の効果について説明する。本発明の実施形態は、以下に示すような多くの効果を奏する。
【００６９】
本実施の形態では、携帯端末３００が設定装置２００に取り付けられた設定情報コード２０２を読み取り、携帯端末３００が設定情報を前もって指定してあるサーバ１００に送信し、サーバ１００が携帯端末３００で読み取った設定情報を使い設定装置２００に設定を指示し、設定装置２００がサーバ１００から送られた設定指示に従って設定を行なう。これにより、コードを読み取った端末以外の端末や装置を設定できるという効果を奏する。
【００７０】
また、本実施の形態では、携帯端末３００が設定装置２００に取り付けられた設定情報コード２０２を読み取り、携帯端末３００が設定情報を前もって指定してあるサーバ１００に送信し、サーバ１００の設定指示部１０３が受け取った設定情報をもとに設定先の設定装置２００を選択し、サーバ１００の設定指示部１０３が設定情報をもとに選択した設定装置２００に設定指示を送り、設定装置２００がサーバ１００から送られた設定指示に従って設定を行なう。更に、本実施の形態では、上述したように設定装置２００が複数存在していてもよい。そして、携帯端末３００はこれら複数の設定装置２００のそれぞれから設定情報コード２０２を読み取ることが可能である。加えて、本実施の形態では、設定指示部１０３が設定情報に基づいて、複数の設定装置２００の中から設定先とする設定装置２００を選択することが可能である。これにより、１つのコードを読み取る端末で複数の端末や装置を設定できるという効果を奏する。
【００７１】
なお、一般的な設定システムが有していた問題として、携帯端末及びサーバは、アクセスの可否だけを設定することができ、会社名や端末ＩＤ等複数の設定が行なえず、設定を行なった結果の状況が把握できないという問題があった。何故ならば、一般的な設定システムでは、コードを読み取った端末の認証のみを行ない、認証した結果でコードを読み取った端末のアクセス可否の設定のみを行なうためである。しかし、本実施の形態では、携帯端末３００が設定装置２００に取り付けられた設定情報コード２０２を読み取り、携帯端末３００が設定情報を前もって指定してあるサーバ１００に送信し、サーバ１００が携帯端末３００で読み取った設定情報を使い設定装置２００に設定を指示し、設定装置２００がサーバ１００から送られた設定指示に従って設定を行ない、サーバ１００が設定装置２００に設定された設定状況を表示する。これにより、設定した端末や装置の設定状況をサーバ１００で確認できるという効果を奏するため上述の問題を解消できる。
【００７２】
次に、本発明の第２の実施形態について図面を参照して詳細に説明する。
【００７３】
図７を参照すると、第２の実施形態は、第１の実施形態と同様に、サーバと、設定装置と、携帯端末を有している。具体的には、サーバ４００と、設定装置５００と、携帯端末６００を有している。更に、図７においては、サーバ４００、設定装置５００及び携帯端末６００がそれぞれ一台ずつ図示されているが、これは本実施の形態の適用範囲を限定する趣旨ではない。本実施の形態ではサーバ４００、設定装置５００及び携帯端末６００がそれぞれ複数存在していてもよい。なお、以下の説明においては、第１の実施形態と同様の部分についての説明は一部省略し、第１の実施形態と相違する部分についての説明を中心とする。
【００７４】
サーバ４００は、設定情報受信部４０４と、設定指示部４０３と、設定状況確認部４０１とを含む。設定情報受信部４０４は、設定情報受信部１０４に相当する部分であり、携帯端末６００から送信された設定情報を受信し、受信した設定情報を設定指示部４０３に送る。
【００７５】
また、設定指示部４０３は、設定指示部１０３に相当する部分であり、設定情報受信部４０４から送られた設定情報を受け取り、受け取った設定情報をもとに設定先の設定装置５００を選択する。更に設定指示部４０３は、受け取った設定情報に基づいて選択した設定装置５００に設定を指示する。
【００７６】
設定状況確認部４０１は、設定状況確認部１０１に相当する部分ではあるが、設定状況の送信先については異なっている。具体的には、設定状況確認部４０１は、設定装置５００から送信されてきた設定状況を受け取り、受け取った設定状況を携帯端末６００に送信する。
【００７７】
なお、サーバ４００では、サーバ１００と異なり、表示部１０２に相当する部分が省かれている。
【００７８】
設定装置５００は、設定部５０１と、設定情報コード５０２とを含む。設定装置５００は、設定装置２００と同様の構成を有している。
【００７９】
設定部５０１は、設定部２０１に相当する部分であり、サーバ４００から送信されてきた設定指示を受け取り、受け取った設定指示に従い設定装置５００を設定し、設定した情報を設定状況としてサーバ４００に送る。
【００８０】
設定情報コード５０２は、設定情報コード２０２に相当し、設定装置５００を設定するための情報である設定情報を記述してあるコードである。
【００８１】
携帯端末６００は、コード読取部６０２と、設定情報送信部６０１と、設定状況受信部６０３と、表示部６０４とを含む。
【００８２】
コード読取部６０２は、コード読取部３０２に相当する部分であり、携帯端末６００で設定装置５００に取り付けられた設定情報コード５０２を読み取る。そしてコード読取部６０２は、読み取った設定情報コード５０２を設定情報に変換し、変換した設定情報を設定情報送信部６０１に送る。
【００８３】
設定情報送信部６０１は、設定情報送信部３０１に相当する部分であり、コード読取部６０２から送られた設定情報を受け取り、受け取った設定情報を前もって指定してあるサーバ４００に送信する。
【００８４】
設定状況受信部６０３及び表示部６０４は、携帯端末３００には設けられていなかった部分である。
【００８５】
設定状況受信部６０３は、サーバ４００から送信された設定状況を受信し、受信した設定状況を表示部６０４に送る。
【００８６】
表示部６０４は、設定状況受信部６０３から送られた設定状況を受け取り、受け取った設定状況を表示する。
【００８７】
すなわち、第２の実施形態では、携帯端末６００に表示部６０４が設けられており、この携帯端末６００において設定状況を表示することができる点で、第１の実施形態と相違している。
【００８８】
次に、図７のブロック図、並びに、図３、図４、図５、図８及び図９のフローチャートを参照して本実施の形態の全体の動作について詳細に説明する。
【００８９】
ここで、図８に示すフローチャートは、本実施形態の動作全体の概略を示すものである。本実施形態におけるステップＳ１０、Ｓ２０及びＳ３０の動作は、図２と同様の動作である。よって、図３は図８におけるステップＳ１０の詳細を示す図となる。同様に、図４は図８におけるステップＳ２０の、図５は図８におけるステップＳ３０の詳細を示す図となる。また、本実施形態では、図２のステップＳ４０に代えてステップＳ５０における動作を行う。図９は図８におけるステップＳ５０の詳細を示す図である。
【００９０】
図８に示すように、まず、携帯端末６００が設定装置５００に取り付けられた設定情報コード５０２を読み取る（図８のステップＳ１０）。
【００９１】
次に、サーバ４００が携帯端末６００で読み取った設定情報を使い設定装置５００に設定を指示する（ステップＳ２０）。
【００９２】
更に、設定装置５００がサーバ４００から送られた設定指示に従って設定を行なう（ステップＳ３０）。
【００９３】
最後に、携帯端末６００が設定装置５００に設定された設定状況を表示する（ステップＳ５０）。
【００９４】
図８におけるステップＳ１０、Ｓ２０及びＳ３０の詳細は上述した第１の実施形態と同様であるので、その説明を省略する。
【００９５】
最後のステップＳ５０の詳細をステップＳ５１〜ステップＳ５５に分けて説明する。
【００９６】
図９に示すように、まず、サーバ４００の設定状況確認部４０１が設定装置５００から送信されてきた設定状況を受け取る（図９のステップＳ５１）。
【００９７】
次に、設定状況確認部４０１が受け取った設定状況を携帯端末６００に送信する（ステップＳ５２）。
【００９８】
更に、携帯端末６００の設定状況受信部６０３がサーバ４００から送信されてきた設定状況を受信する（ステップＳ５３）。
【００９９】
続いて、受信した設定状況を設定状況受信部６０３から携帯端末６００の表示部６０４に送る（ステップＳ５４）。
【０１００】
最後に、表示部６０４が設定状況受信部６０３から送られた設定状況を表示する（ステップＳ５５）。
【０１０１】
次に、本実施の形態の効果について説明する。本実施形態は、以下に示すような多くの効果を奏する。
【０１０２】
本実施の形態では、携帯端末６００が設定装置５００に取り付けられた設定情報コード５０２を読み取り、携帯端末６００が設定情報を前もって指定してあるサーバ４００に送信し、サーバ４００が携帯端末６００で読み取った設定情報を使い設定装置５００に設定を指示し、設定装置５００がサーバ４００から送られた設定指示に従って設定を行なう。これにより、コードを読み取った端末以外の端末や装置を設定できるという効果を奏する。
【０１０３】
また、本実施の形態では、携帯端末６００が設定装置５００に取り付けられた設定情報コード５０２を読み取り、携帯端末６００が設定情報を前もって指定してあるサーバ４００に送信し、サーバ４００の設定指示部４０３が受け取った設定情報をもとに設定先の設定装置５００を選択し、サーバ４００の設定指示部４０３が設定情報をもとに選択した設定装置５００に設定指示を送り、設定装置５００がサーバ４００から送られた設定指示に従って設定を行なう。更に、本実施の形態では、上述したように設定装置５００が複数存在していてもよい。そして、携帯端末６００はこれら複数の設定装置５００のそれぞれから設定情報コード５０２を読み取ることが可能である。加えて、本実施の形態では、設定指示部４０３が設定情報に基づいて、複数の設定装置５００の中から設定先とする設定装置５００を選択することが可能である。これにより、１つのコードを読み取る端末で複数の端末や装置を設定できるという効果を奏する。
【０１０４】
なお、一般的な設定システムが有していた問題として、携帯端末及びサーバは、アクセスの可否だけを設定することができ、会社名や端末ＩＤ等複数の設定が行なえず、設定を行なった結果の状況が把握できないという問題があった。何故ならば、一般的な設定システムでは、コードを読み取った端末の認証のみを行ない、認証した結果でコードを読み取った端末のアクセス可否の設定のみを行なうためである。しかし、本実施の形態では、携帯端末６００が設定装置５００に取り付けられた設定情報コード５０２を読み取り、携帯端末６００が設定情報を前もって指定してあるサーバ４００に送信し、サーバ４００が携帯端末６００で読み取った設定情報を使い設定装置５００に設定を指示し、設定装置５００がサーバ４００から送られた設定指示に従って設定を行ない、設定装置５００が設定した情報を設定状況としてサーバ４００に送り、サーバ４００が設定状況を携帯端末６００に送信し、携帯端末６００が設定装置５００に設定された設定状況を表示する。これにより、設定した端末や装置の設定状況を携帯端末６００で確認できるという効果を奏するため上述の問題を解消できる。
【０１０５】
なお、上述した第２の実施形態では、表示部６０４において設定状況を確認していた。この点、第２の実施形態のサーバ４００に、第１の実施形態と同様に表示部を設けることも可能である。この場合、設定状況確認部４０１は、この設けた表示部にも設定状況を送り、この設けた表示部においても設定状況を表示させるようにする。すなわち第１の実施形態と第２の実施形態を組み合わせることが可能である。
【実施例】
【０１０６】
次に、具体的な実施例を用いて実施形態の動作を説明する。
【実施例１】
【０１０７】
まず、第１の実施形態の実施例である実施例１について説明をする。【０１０８】
本実施例では、ホームゲートウェイを利用して複数のパーソナルアリアネットワーク（以下、適宜「ＰＡＮ」と記載する。）のデバイスの設定を行なう例を用いて説明する。すなわち、本実施例では、例えば一つの建物全体を単位とした設定ではなく設備機器毎に設定することができる。【０１０９】
図１０を参照すると、本実施例はサーバとしてホームゲートウェイ７００−１、設定装置としてＺｉｇＢｅｅ８００ａと特定小電力無線８００ｂの２つのＰＡＮ、携帯端末として携帯電話機９００−１を有している。【０１１０】
ＺｉｇＢｅｅ８００ａと、特定小電力無線８００ｂは、１つのコントローラー８１０と温度センサーや火災警報器といった複数のデバイス８２０を有している。なお、デバイス８２０の個数は、特に限定されるものではなく、任意の個数のデバイス８２０が存在していてよい。また、各デバイス８２０には、設定情報をコード化した設定情報コード８０２がそれぞれ取り付けられているとする。【０１１１】
ホームゲートウェイ７００−１とＰＡＮ（ＺｉｇＢｅｅ８００ａ又は特定小電力無線８００ｂ）との間は、ＵＳＢ（Universal Serial Bus）、Ｅｔｈｅｒｎｅｔ（登録商標）、ＷｉＦｉ（wireless fidelity）等の規格に準拠したネットワークで接続されているとする。また、ホームゲートウェイ７００−１と携帯電話機９００−１との間は、ＷｉＦｉ等の規格に準拠したネットワークや３Ｇ網等のネットワークで接続されているとする。【０１１２】
ホームゲートウェイ７００−１は、設定情報受信部７０４と、設定指示部７０３と、設定状況確認部７０１と、表示部７０２とを含む。【０１１３】
ＰＡＮ（ＺｉｇＢｅｅ８００ａ又は特定小電力無線８００ｂ）は、設定部８０１と、設定情報コード８０２と、コントローラー８１０と、デバイス８２０とを含む。【０１１４】
携帯電話機９００−１は、コード読取部９０２と、設定情報送信部９０１とを含む。【０１１５】
これらの部はそれぞれ概略次のように動作する。【０１１６】
設定情報受信部７０４は、設定情報受信部１０４に相当する部分であり、携帯電話機９００−１から送信された設定情報を受信し、受信した設定情報を設定指示部７０３に送る。【０１１７】
設定指示部７０３は、設定指示部１０３に相当する部分であり、設定情報受信部７０４から送られた設定情報を受け取る。そして、設定指示部７０３は、受け取った設定情報に基づいて設定先のＰＡＮをＺｉｇＢｅｅ８００ａ又は特定小電力無線８００ｂから選択し、受け取った設定情報をもとに選択したＰＡＮ（ＺｉｇＢｅｅ８００ａ又は特定小電力無線８００ｂ）のコントローラー８１０に設定を指示する。【０１１８】
設定状況確認部７０１は、設定状況確認部１０１に相当する部分であり、ＰＡＮ（ＺｉｇＢｅｅ８００ａ又は特定小電力無線８００ｂ）から送られた設定状況を受け取り、受け取った設定状況を表示部７０２に送る。【０１１９】
表示部７０２は、表示部１０２に相当する部分であり、設定状況確認部７０１から送られた設定状況を受け取り、受け取った設定状況を表示する。【０１２０】
設定部８０１は、設定部２０１に相当する部分であり、ホームゲートウェイ７００−１から送られた設定指示を受け取り、受け取った設定指示に従いＰＡＮ（ＺｉｇＢｅｅ８００ａ又は特定小電力無線８００ｂ）を設定し、設定した情報を設定状況としてホームゲートウェイ７００−１に送る。【０１２１】
設定情報コード８０２は、設定情報コード２０２に相当する部分であり、デバイス８２０に取り付けられたＰＡＮ（ＺｉｇＢｅｅ８００ａ又は特定小電力無線８００ｂ）を設定するための情報である設定情報を記述してあるＱＲコード（登録商標）やバーコードといったコードである。【０１２２】
コード読取部９０２は、コード読取部３０２に相当する部分であり、携帯電話機９００−１でＰＡＮ（ＺｉｇＢｅｅ８００ａ又は特定小電力無線８００ｂ）のデバイス８２０に取り付けられた設定情報コード８０２を読み取り、読み取った設定情報コード８０２を設定情報に変換し、変換した設定情報を設定情報送信部９０１に送る。【０１２３】
設定情報送信部９０１は、設定情報送信部３０１に相当する部分であり、コード読取部９０２から送られた設定情報を受け取り、受け取った設定情報を前もって指定してあるホームゲートウェイ７００−１に送信する。【０１２４】
続いて、図１０のブロック図、並びに、図２、図３、図４、図５及び図６のフローチャートを参照して本実施例の動作を説明する。【０１２５】
また、図１２にデバイス８２０に取り付けられた設定情報コード８０２に記述された設定情報の例を示す。第１の実施の形態の説明において上述したように「設定情報」とは、少なくとも設定対象とすべき設定装置を識別するための情報を含んだ情報である。具体例として、図１３の「番号１」を参照すると、設定対象となる装置が「ＺｉｇＢｅｅ」であるという情報が含まれており、すなわち設定対象となる装置がＺｉｇＢｅｅ８００ａであることが識別できる。更に今回は設定装置であるＺｉｇＢｅｅ８００ａは、ＰＡＮであり複数のデバイス８２０を含んでいるのでそのデバイスの何れを設定するのかを識別するためのＩＤ「００：００：４Ｃ：１２：３４：５１」が含まれ、更にそのデバイスが「温度センサー」であるという情報が含まれている。【０１２６】
なお、単に、コンピュータである設定装置に対しての設定情報として用いるのであれば設定装置を「ＺｉｇＢｅｅ」といったユーザに理解可能な具体的な名称で識別する必要は必ずしもなく、識別番号等のユーザにとっては直接の意味をなさない文字列で識別してもよい。また、デバイスが「温度センサー」であるという情報も必ずしも必須ではない。しかしながら、設定情報に加えて設定状況をユーザに提示するという点を鑑みれば、ユーザに理解可能な具体的な名称を用いるようにしたり、デバイスが「温度センサー」であるといった具体的な情報を設定情報及び設定状況に含ませることが好ましい。【０１２７】
また、図１３に装置が設定される前の表示部７０２に表示された設定状況の例を示す。加えて、図１４に装置が設定された後の表示部７０２に表示された設定状況の例を示す。本実施例においては、どのような値を「設定状況」としてもよく、デバイスの種別により設定状況とする値は多岐にわたる。図１３及び図１４を参照するとわかるように、例えばデバイスが何らかの検知器やセンサーである場合は、その検知結果を示すようにしてもよい。例えば、温度センサーであるならば温度を示してもよく、鍵センサーなら施錠の有無、人感センサーなら人間と思われる物体の検知の有無、を示すようにしてもよい。【０１２８】
今回の説明においては、図１３に示したとおり、ＺｉｇＢｅｅのデバイス４台、特定小電力無線のデバイス２台が既にホームゲートウェイ７００−１に設定されているとする。そこに、図１２に示したＺｉｇＢｅｅ８００ａのデバイス８２０である温度センサーを追加する設定を行なう場合を例に動作について詳細に説明する。【０１２９】
まず、図２を参照して本実施例の動作全体について説明する。【０１３０】
図２を参照すると、まず、携帯電話機９００−１がＺｉｇＢｅｅ８００ａのデバイス８２０である温度センサーに取り付けられた設定情報コード８０２を読み取る（図２のステップＳ１０）。【０１３１】
次に、ホームゲートウェイ７００−１が携帯電話機９００−１で読み取った設定情報を使いＺｉｇＢｅｅ８００ａのコントローラー８１０に設定を指示する（ステップＳ２０）。【０１３２】
更に、ＺｉｇＢｅｅ８００ａのコントローラー８１０がホームゲートウェイ７００−１から送られた設定指示に従ってＺｉｇＢｅｅ８００ａのデバイス８２０である温度センサーを追加する設定を行なう（ステップＳ３０）。【０１３３】
最後に、ホームゲートウェイ７００−１がＺｉｇＢｅｅ８００ａや特定小電力無線８００ｂに設定された設定状況を表示する（ステップＳ４０）。【０１３４】
図３を参照して最初のステップＳ１０の詳細を説明する。【０１３５】
まず、携帯電話機９００−１のコード読取部９０２でＺｉｇＢｅｅ８００ａのデバイス８２０である温度センサーに取り付けられた設定情報コード２０２を読み取る（図３のステップＳ１１）。具体的な実装例としては、設定情報コード８０２としてＱＲコードを使い、コード読取部９０２としては携帯電話機のカメラを使う。そして、ＱＲコードを温度センサーに取り付け、ＱＲコードを携帯電話機のカメラで読み取る。【０１３６】
次に、携帯電話機９００−１のコード読取部９０２が読み取った設定情報コード８０２を設定情報に変換する（ステップＳ１２）。図１２に示したように、設定情報コード８０２であるＱＲコードを、設定装置がＺｉｇＢｅｅ、会社名がＮＥＣ、種別が温度センサー、ＩＤが「００：００：４Ｃ：１２：３４：５６」等の設定情報に変換する。【０１３７】
更に、変換した設定情報をコード読取部９０２から携帯電話機９００−１の設定情報送信部９０１に送る（ステップＳ１３）。【０１３８】
更に、設定情報送信部９０１が設定情報を前もって指定してあるホームゲートウェイ７００−１に送信する（ステップＳ１４）。【０１３９】
最後に、ホームゲートウェイ７００−１が携帯電話機９００−１から送信された設定情報を受信する（ステップＳ１５）。【０１４０】
続いて、図４を参照して次のステップＳ２０の詳細を説明する。【０１４１】
まず、ホームゲートウェイ７００−１の設定情報受信部７０４が携帯電話機９００−１から送信されてきた設定情報を受信する（図４のステップＳ２１）。【０１４２】
次に、受信した設定情報を設定情報受信部７０４からホームゲートウェイ７００−１の設定指示部７０３に送る（ステップＳ２２）。【０１４３】
更に、設定指示部７０３が受け取った設定情報をもとに設定先の設定装置を選択する（ステップＳ２３、ステップＳ２４）。今回は、図１２に示したように、設定情報の設定装置の値がＺｉｇＢｅｅなので、設定装置としてＺｉｇＢｅｅ８００ａを選択する。【０１４４】
最後に、設定指示部７０３が設定情報に基づいて選択したＺｉｇＢｅｅ８００ａに設定指示を送る（ステップＳ２５）。会社名がＮＥＣ、種別が温度センサー、ＩＤが「００：００：４Ｃ：１２：３４：５６」等の設定情報をもとに、デバイス８２０である温度センサーを追加するようにＺｉｇＢｅｅ８００ａのコントローラー８１０に設定指示を送る。【０１４５】
更に、図５を参照して次のステップＳ３０の詳細を説明する。【０１４６】
まず、ＺｉｇＢｅｅ８００ａのコントローラー８１０の設定部８０１がホームゲートウェイ７００−１から送られた設定指示を受け取る（図５のステップＳ３１）。【０１４７】
次に、設定部８０１が設定指示に従いＺｉｇＢｅｅ８００ａのコントローラー８１０を設定する（ステップＳ３２）。ＩＤが００：００：４Ｃ：１２：３４：５６の温度センサーをＺｉｇＢｅｅ８００ａに追加する。【０１４８】
最後に、設定部８０１がＺｉｇＢｅｅ８００ａのコントローラー８１０を設定した情報を設定状況としてホームゲートウェイ７００−１に送る（ステップＳ３３）。ＩＤが「００：００：４Ｃ：１２：３４：５６」の温度センサーをＺｉｇＢｅｅ８００ａに追加した情報をホームゲートウェイ７００−１に送る。【０１４９】
図６を参照して最後のステップＳ４０の詳細を説明する。【０１５０】
まず、ホームゲートウェイ７００−１の設定状況確認部７０１がＺｉｇＢｅｅ８００ａのコントローラー８１０から送信されてきた設定状況を受け取る（図６のステップＳ４１）。ＩＤが「００：００：４Ｃ：１２：３４：５６」の温度センサーをＺｉｇＢｅｅ８００ａに追加した情報を設定情報として受け取る。【０１５１】
次に、設定状況確認部７０１が受け取った設定状況をホームゲートウェイ７００−１の表示部７０２に送る（ステップＳ４２）。【０１５２】
最後に、表示部７０２が設定状況確認部７０１から送られた設定状況を表示する（ステップＳ４３）。図１４に示したように、番号７に設定装置がＺｉｇＢｅｅ、種別が温度センサー、ＩＤが００：００：４Ｃ：１２：３４：５６の温度センサーが追加された設定状況を表示する。具体的には、番号７の温度センサーの設定が行なわれたので、温度センサーの値である２２℃が設定状況としてホームゲートウェイ７００−１の表示部７０２に表示される。これにより実施例１の動作は終了する。
【実施例２】
【０１５３】
次に、第２の実施形態の実施例である実施例２について説明をする。【０１５４】
本実施例においても、上述の実施例１と同様に、ホームゲートウェイを利用して複数のＰＡＮのデバイスの設定を行なう例を用いて説明する。すなわち、本実施例においても、例えば一つの建物全体を単位とした設定ではなく設備機器毎に設定することができる。【０１５５】
図１１を参照すると、本実施例は、サーバとしてホームゲートウェイ７００−２、設定装置としてＺｉｇＢｅｅ８００ａと特定小電力無線８００ｂの２つのＰＡＮ、携帯端末として携帯電話機９００−２を有している。ＺｉｇＢｅｅ８００ａと、特定小電力無線８００ｂは、１つのコントローラー８１０と温度センサーや火災警報器といった複数のデバイス８２０を有している。なお、デバイス８２０の個数は、特に限定されるものではなく、任意の個数のデバイス８２０が存在していてよい。また、各デバイス８２０には、設定情報をコード化した設定情報コード８０２がそれぞれ取り付けられているとする。【０１５６】
ホームゲートウェイ７００−２とＰＡＮ（ＺｉｇＢｅｅ８００ａ又は特定小電力無線８００ｂ）との間は、ＵＳＢ、Ｅｔｈｅｒｎｅｔ、ＷｉＦｉ等の規格に準拠したネットワークで接続されているとする。また、ホームゲートウェイ７００−２と携帯電話機９００−２との間は、ＷｉＦｉ等の規格に準拠したネットワークや３Ｇ網等のネットワークで接続されているとする。【０１５７】
ホームゲートウェイ７００−２は、設定情報受信部７０４と、設定指示部７０３と、設定状況確認部７０１とを含む。【０１５８】
ＰＡＮ（ＺｉｇＢｅｅ８００ａ又は特定小電力無線８００ｂ）は、設定部８０１と、設定情報コード８０２と、コントローラー８１０と、デバイス８２０とを含む。【０１５９】
携帯電話機９００−２は、コード読取部９０２と、設定情報送信部９０１とを含む。携帯電話機９００−２は、更に、表示部９０４と、設定状況受信部９０３とを含む。【０１６０】
本実施例と実施例１の相違点は、携帯電話機９００−２が、表示部９０４及び設定状況受信部９０３を有している点である。また、ホームゲートウェイ７００−２は表示部を有しておらず、設定状況確認部７０１が設定状況受信部９０３と通信を行う点においても相違している。【０１６１】
これらの部はそれぞれ概略次のように動作する。【０１６２】
設定状況確認部７０１は、設定状況確認部４０１に相当し、ＰＡＮ（ＺｉｇＢｅｅ８００ａ又は特定小電力無線８００ｂ）から送信されてきた設定状況を受け取り、受け取った設定状況を携帯端末９００−２の設定状況受信部９０３に送信する。【０１６３】
設定状況受信部９０３は、設定状況受信部６０３に相当し、ホームゲートウェイ７００−２から送信された設定状況を受信し、受信した設定状況を表示部９０４に送る。【０１６４】
表示部９０４は、表示部６０４に相当し、設定状況受信部９０３から送られた設定状況を受け取り、受け取った設定状況を表示する。【０１６５】
続いて、図１１のブロック図、並びに、図２、図８及び図９のフローチャートを参照して本実施例の動作を説明する。【０１６６】
図１２にデバイス８２０に取り付けられた設定情報コード８０２に記述された設定情報の例を示す。更に、図１３に装置が設定される前の表示部７０２に表示された設定状況の例を示す。加えて、図１４に装置が設定された後の表示部７０２に表示された設定状況の例を示す。【０１６７】
今回の説明においては、図１３に示したとおり、ＺｉｇＢｅｅのデバイス４台、特定小電力無線のデバイス２台が既にホームゲートウェイ７００−２に設定されているとする。そこに、図１２に示したＺｉｇＢｅｅ８００ａのデバイス８２０である温度センサーを追加する設定を行なう場合を例に動作について詳細に説明する。【０１６８】
まず、図８を参照して本実施例の動作全体について説明する。【０１６９】
図８を参照すると、まず、携帯電話機９００−２がＺｉｇＢｅｅ８００ａのデバイス８２０である温度センサーに取り付けられた設定情報コード８０２を読み取る（図８のステップＳ１０）。【０１７０】
次に、ホームゲートウェイ７００−２が携帯電話機９００−２で読み取った設定情報を使いＺｉｇＢｅｅ８００ａのコントローラー８１０に設定を指示する（ステップＳ２０）。【０１７１】
更に、ＺｉｇＢｅｅ８００ａのコントローラーがホームゲートウェイ７００−２から送られた設定指示に従ってＺｉｇＢｅｅ８００ａのデバイス８２０である温度センサーの追加する設定を行なう（ステップＳ３０）。【０１７２】
最後に、携帯電話機９００−２がＺｉｇＢｅｅ８００ａや特定小電力無線８００ｂに設定された設定状況を表示する（ステップＳ５０）。【０１７３】
図８におけるステップＳ１０、Ｓ２０及びＳ３０の詳細は上述した実施例１と同様であるので、その説明を省略する。【０１７４】
最後のステップＳ５０の詳細を説明する。【０１７５】
図９を参照すると、まず、ホームゲートウェイ７００−２の設定状況確認部７０１がＺｉｇＢｅｅ８００ａのコントローラー８１０から送信されてきた設定状況を受け取る（図９のステップＳ５１）。すなわち、ＩＤが「００：００：４Ｃ：１２：３４：５６」の温度センサーをＺｉｇＢｅｅ８００ａに追加した情報を設定情報として受け取る。【０１７６】
次に、設定状況確認部７０１が受け取った設定状況を携帯端末９００−２の設定状況受信部９０３に送信する（ステップＳ５２）。【０１７７】
更に、携帯電話機９００−２の設定状況受信部９０３がホームゲートウェイ７００−２から送信された設定状況を受信する（ステップＳ５３）。【０１７８】
続いて、受信した設定状況を設定状況受信部９０３から携帯電話機９００−２の表示部９０４に送る（ステップＳ５４）。【０１７９】
最後に、表示部９０４が設定状況受信部９０３から送られた設定状況を表示する（ステップＳ５５）。図１４に示したように、番号７に設定装置がＺｉｇＢｅｅ、種別が温度センサー、ＩＤが００：００：４Ｃ：１２：３４：５６の温度センサーが追加された設定状況を表示する。番号７の温度センサーの設定が行なわれたので、温度センサーの値である２２℃が設定状況として携帯電話機９００−２の表示部９０４に表示される。これにより実施例２の動作は終了する。【０１８０】
また、実施例１と同様に本実施例においては、どのような値を設定状況としてもよく、デバイスの種別により設定状況とする値は多岐にわたる。
【実施例３】
【０１８１】
次に、実施例３について説明する。実施例３は、上述の実施例１又は実施例２を変形した変形例である。すなわち実施例３は、第１の実施形態の実施例でもあり、第２の実施形態の実施例でもある。【０１８２】
本実施形態は、設定装置についての変形例である。今回は、ＺｉｇＢｅｅ８００ａを例に取って説明する。なお、設定装置が複数存在する場合に、全ての設定装置を本実施例のように変形させてもよいし、一部の設定装置を本実施例のように変形させるようにしてもよい。【０１８３】
図１５を参照すると、ＺｉｇＢｅｅ８００ａは、第１及び第２の実施例と同様に、１つのコントローラー８１０と複数のデバイス８２０を有している。今回はデバイス８２０を説明の便宜上、４つ（デバイス８２０−１、デバイス８２０−２、デバイス８２０−３、デバイス８２０−ｎ）図示する。なお、デバイス８２０の個数は、特に限定されるものではなく、任意の個数のデバイス８２０が存在していてよい。また、各デバイス８２０には、第１及び第２の実施例と同様に、設定情報をコード化した設定情報コード８０２（設定情報コード８０２−１、設定情報コード８０２−２、設定情報コード８０２−３、設定情報コード８０２−ｎ）がそれぞれ取り付けられているとする。【０１８４】
更に、本実施例では第１及び第２の実施例とは異なり、設定情報総合コード８３０が取り付けられている。設定情報総合コード８３０は、上述したＺｉｇＢｅｅ８００ａが管理する各デバイスの設定情報の全てを含んだ設定情報をコード化したものである。例えば、ＺｉｇＢｅｅ８００ａが管理するデバイスが３つのデバイス（デバイス８２０−１、デバイス８２０−２、デバイス８２０−３）である場合は、デバイス８２０−１の設定情報、デバイス８２０−２の設定情報及びデバイス８２０−３の設定情報、の全ての情報を含んだ設定情報をコード化したものが設定情報総合コード８３０となる。【０１８５】
なお、本実施例では、各デバイス８２０に設定情報コード８０２が取り付けられているものとして説明したが、各デバイス８２０に設定情報コード８０２が取り付けられていなくともよい。すなわち、設定情報コード８０２は存在せず、設定情報総合コード８３０のみが存在するようにしてもよい。【０１８６】
続いて、具体的な例を用いて、設定情報総合コード８３０を用いた本実施例の動作について説明する。【０１８７】
本実施例では、第１及び第２の実施例と同様に、携帯端末が設定情報コードを読み取る（ステップＳ１１）。本実施例において、ここで読み取るのは設定情報総合コード８３０である。このようにすることにより、本実施例では、下述のような効果を奏する。【０１８８】
第１及び第２の実施例では、設定情報コード８０２が各デバイスに取り付けられていた。そのため、例えば３つのデバイス８２０の設定が必要な場合、設定情報８０２を三箇所から一回ずつ、の計三回読み取る必要がある。【０１８９】
これに対し本実施例では、例えば設定装置がデバイス８２０−１、デバイス８２０−２、デバイス８２０−３を管理する場合、設定装置にデバイス８２０−１、デバイス８２０−２、デバイス８２０−３の設定情報を全て記載した設定情報総合コード８３０が付与されていれば、設定情報の読み取りは１度で済むという有利な効果を奏する。すなわち、一つの携帯端末による一度の読み込みで複数の端末を設定することが可能となる。【０１９０】
また、３つのデバイス（デバイス８２０−１、デバイス８２０−２、デバイス８２０−３）が設定された後に、新たにデバイス８２０−ｎが追加される場合を考える。【０１９１】
この場合、設定装置８００ａの設定情報総合コード８３０にデバイス８２０−ｎの情報を追加しておく。こうすることにより、サーバが、自身が記憶する設定情報と、今回読み取られた設定情報総合コード８３０を変換した設定情報と、を照合することで、３つのデバイス（デバイス８２０−１、デバイス８２０−２、デバイス８２０−３）の情報が既に設定済みであり、新たに設定すべきなのはデバイス８２０−ｎということが分かるという効果も奏する。【０１９２】
なお、本発明の実施形態である設定システムは、ハードウェアにより実現することもできるが、コンピュータをその設定システムに含まれる何れかの装置として機能させるためのプログラムをコンピュータがコンピュータ読み取り可能な記録媒体から読み込んで実行することによっても実現することができる。【０１９３】
また、本発明の実施形態による設定方法は、ハードウェアにより実現することもできるが、コンピュータにその方法を実行させるためのプログラムをコンピュータがコンピュータ読み取り可能な記録媒体から読み込んで実行することによっても実現することができる。【０１９４】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。【０１９５】
更に、上記実施形態では、上述の処理を実行させるためのプログラムが、記憶装置に予め記憶されているものとして説明した。しかし、上述の処理を実行させるためのプログラムを、フレキシブルディスク、ＣＤ−ＲＯＭ（Compact Disc Read-Only Memory）、ＤＶＤ（Digital Versatile Disc）、ＭＯ（Magneto Optical Disk（Disc））ＢＤ（Blu-ray Disc）等のコンピュータ読み取り可能な記録媒体に格納して配布し、これをコンピュータにインストールし、上述の各部として動作させ、あるいは、上述の処理を実行させてもよい。【０１９６】
加えて、インターネット上のサーバ装置が有するディスク装置等にプログラムを格納しておき、例えば、搬送波にプログラムを重畳させて、コンピュータにダウンロード等してプログラムを実行してもよい。【０１９７】
上記の実施形態の一部又は全部は、以下の付記のようにも記載されうるが、以下には限られない。【０１９８】
（付記１）  設定対象となる設定装置と、端末装置と、前記設定装置及び端末装置のそれぞれと接続されているサーバと、を有し、前記設定装置の設定を行う設定システムにおいて、
前記端末装置が、
前記設定装置を設定するための情報である設定情報を前記設定装置から読み取ることによって取得する読み取り手段と、
前記取得した設定情報を前記サーバに送信する設定情報送信手段と、を備え、
前記サーバが、
前記設定情報送信手段から送信されてきた前記設定情報を受信する設定情報受信手段と、
前記設定情報に基づいて設定対象とすべき前記設定装置を選択し、当該選択した設定装置に対して設定の実行を指示する設定指示手段と、を備え、
前記設定装置が、前記設定指示手段の指示に従って自身の設定を行う設定手段を備えていることを特徴とする設定システム。【０１９９】
（付記２）  付記１に記載の設定システムにおいて、
前記設定手段は、前記設定を行った後に、当該設定された後の状況を示す情報を設定状況として前記サーバに対して送信し、
前記サーバは、
ユーザに対して情報を提示するための表示手段と、
前記設定状況を受信し、当該受信した設定状況を前記表示部に表示させる設定状況確認手段を更に備えていることを特徴とする設定システム。【０２００】
（付記３）  付記１に記載の設定システムにおいて、
前記設定手段は、前記設定を行った後に、当該設定された後の状況を示す情報を設定状況として前記サーバに対して送信し、
前記サーバは、
前記設定状況を受信し、当該受信した設定状況を前記端末装置に対して送信する設定状況確認手段を更に備え、
前記端末装置は、
ユーザに対して情報を提示するための表示手段と、
前記設定状況確認手段から送信された前記設定状況受信し、当該受信した設定状況を前記表示部に表示させる設定状況受信手段を更に備えていることを特徴とする設定システム。【０２０１】
（付記４）  付記１乃至３の何れか１項に記載の設定システムにおいて、
前記設定装置は、設定対象とするデバイスを配下に少なくとも一つ以上有しており、
前記設定手段は、前記設定指示手段の指示に従って前記配下のデバイスの何れかの設定を行うことを特徴とする設定システム。【０２０２】
（付記５）  付記１乃至４の何れか１項に記載の設定システムにおいて、
前記読み取り手段は、前記設定情報が記述されたコードである設定情報コードを前記設定装置から読み取り、当該読み取った前記設定情報コードを前記設定情報に変換することにより前記設定情報の取得を行うことを特徴とする設定システム。【０２０３】
（付記６）  付記１乃至５の何れか１項に記載の設定システムにおいて、当該設定システムは前記サーバを少なくとも一つ以上有しており、
前記設定情報送信手段は、前記少なくとも一つ以上のサーバの中の、予め送信先として指定されているサーバに対して前記設定情報を送信することを特徴とする設定システム。【０２０４】
（付記７）  設定対象となる設定装置と、端末装置と、のそれぞれと接続されているサーバにおいて、
前記端末装置が前記設定装置から読み取った、前記設定装置を設定するための情報である設定情報を、前記端末装置から受信する設定情報受信手段と、
前記設定情報に基づいて設定対象とすべき前記設定装置を選択し、当該選択した設定装置に対して設定の実行を指示する設定指示手段と、
ユーザに対して情報を提示するための表示手段と、
前記指示に応じて設定を行った前記設定装置から、当該設定された後の状況を示す情報を設定状況として受信し、当該受信した設定状況を前記表示部に表示させる設定状況確認手段と、
を備えていることを特徴とするサーバ。【０２０５】
（付記８）  設定対象となる設定装置に接続されているサーバと接続されている端末装置において、
前記設定装置を設定するための情報である設定情報を前記設定装置から読み取ることによって取得する読み取り手段と、
前記取得した設定情報を前記サーバに送信する設定情報送信手段と、
ユーザに対して情報を提示するための表示手段と、
前記設定情報に基づいて前記サーバが行う設定指示、に従って設定を行った前記設定装置の当該設定された後の状況を示す情報を設定状況として前記サーバから受信し、当該受信した設定状況を前記表示部に表示させる設定状況受信手段と、
を備えていることを特徴とする端末装置。【０２０６】
（付記９）  付記８に記載の端末装置において、
前記読み取り手段は、前記設定情報が記述されたコードである設定情報コードを前記設定装置から読み取り、当該読み取った前記設定情報コードを前記設定情報に変換することにより前記設定情報の取得を行うことを特徴とする端末装置。【０２０７】
（付記１０）  設定対象となる設定装置と、端末装置と、前記設定装置及び端末装置のそれぞれと接続されているサーバと、を有したシステムが行う前記設定装置の設定方法において、
前記端末装置が、前記設定装置を設定するための情報である設定情報を前記設定装置から読み取ることにより取得する読み取りステップと、
前記端末装置が、前記読み取った設定情報を前記サーバに送信する設定情報送信ステップと、
前記サーバが、前記設定情報送信ステップによって前記端末装置から送信されてきた前記設定情報を受信する設定情報受信ステップと、
前記サーバが、前記設定情報に基づいて設定対象とすべき前記設定装置を選択し、当該選択した設定装置に対して設定の実行を指示する設定指示ステップと、
前記設定装置が、前記設定指示ステップの指示に従って自身の設定を行う設定ステップと、
を備えていることを特徴とする設定方法。【０２０８】
（付記１１）  付記１０に記載の設定方法において、
前記設定ステップは、前記設定を行った後に、当該設定された後の状況を示す情報を設定状況として前記サーバに対して送信し、
前記サーバは、
ユーザに対して情報を提示するための表示部を用意するステップと、
前記設定状況を受信し、当該受信した設定状況を前記表示部に表示させる設定状況確認ステップを更に備えていることを特徴とする設定方法。【０２０９】
（付記１２）  付記１０に記載の設定方法において、
前記設定ステップは、前記設定を行った後に、当該設定された後の状況を示す情報を設定状況として前記サーバに対して送信し、
前記サーバは、
前記設定状況を受信し、当該受信した設定状況を前記端末装置に対して送信する設定状況確認ステップを更に備え、
前記端末装置は、
ユーザに対して情報を提示するための表示部を用意するステップと、
前記設定状況確認ステップから送信された前記設定状況を受信し、当該受信した設定状況を前記表示部に表示させる設定状況受信ステップを更に備えていることを特徴とする設定方法。【０２１０】
（付記１３）  付記１０乃至１２の何れか１項に記載の設定方法において、
前記設定装置は、設定対象とするデバイスを配下に少なくとも一つ以上有しており、
前記設定ステップは、前記設定指示ステップの指示に従って前記配下のデバイスの何れかの設定を行うことを特徴とする設定方法。【０２１１】
（付記１４）  付記１０乃至１３の何れか１項に記載の設定方法において、
前記読み取りステップは、前記設定情報が記述されたコードである設定情報コードを前記設定装置から読み取り、当該読み取った前記設定情報コードを前記設定情報に変換することにより前記設定情報の取得を行うことを特徴とする設定方法。【０２１２】
（付記１５）  付記１０乃至１４の何れか１項に記載の設定方法において、前記設定システムは前記サーバを少なくとも一つ以上有しており、
前記設定情報送信ステップは、前記少なくとも一つ以上のサーバの中の、予め送信先として指定されているサーバに対して前記設定情報を送信することを特徴とする設定方法。【０２１３】
（付記１６）  設定対象となる設定装置と、端末装置と、のそれぞれと接続されているサーバに搭載される、前記設定装置の設定プログラムにおいて、
前記端末装置が前記設定装置から読み取った、前記設定装置を設定するための情報である設定情報を、前記端末装置から受信する設定情報受信手段と、
前記設定情報に基づいて設定対象とすべき前記設定装置を選択し、当該選択した設定装置に対して設定の実行を指示する設定指示手段と、
ユーザに対して情報を提示するための表示手段と、
前記指示に応じて設定を行った前記設定装置から、当該設定された後の状況を示す情報を設定状況として受信し、当該受信した設定状況を前記表示部に表示させる設定状況確認手段と、
を備えているサーバとしてコンピュータを機能させることを特徴とする設定プログラム。【０２１４】
（付記１７）  設定対象となる設定装置に接続されているサーバと接続されている端末装置に搭載される、前記設定装置の設定プログラムにおいて、
前記設定装置を設定するための情報である設定情報を前記設定装置から読み取ることによって取得する読み取り手段と、
前記取得した設定情報を前記サーバに送信する設定情報送信手段と、
ユーザに対して情報を提示するための表示手段と、
前記設定情報に基づいて前記サーバが行う設定指示に従って設定を行った前記設定装置の当該設定された後の状況を示す情報を、設定状況として前記サーバから受信し、当該受信した設定状況を前記表示部に表示させる設定状況受信手段と、
を備えている端末装置としてコンピュータを機能させることを特徴とする設定プログラム。【０２１５】
（付記１８）  付記１７に記載の設定プログラムにおいて、
前記読み取り手段は、前記設定情報が記述されたコードである設定情報コードを前記設定装置から読み取り、当該読み取った前記設定情報コードを前記設定情報に変換することにより前記設定情報の取得を行うことを特徴とする設定プログラム。
【産業上の利用可能性】
【０２１６】
本発明は、例えば、ホームＩＣＴサービス等を実現するゲートウェイ装置やルーター装置の設定といった用途に好適である。【０２１７】
また、本発明は、警備システムやＢＥＭＳ等のビル管理システムの設定といった用途にも好適である。【０２１８】
更に、本発明は、冷蔵庫やフェムト基地局等のリモートメンテナンスシステムの設定といった用途にも好適である。【０２１９】
この出願は、２０１０年１０月２１日に出願された日本出願特願２０１０−２３６４６１号を基礎とする優先権を主張し、その開示の全てをここに取り込む。
【図１】
2012053145.tif 000003
【図２】
2012053145.tif 000004
【図３】
2012053145.tif 000005
【図４】
2012053145.tif 000006
【図５】
2012053145.tif 000007
【図６】
2012053145.tif 000008
【図７】
2012053145.tif 000009
【図８】
2012053145.tif 000010
【図９】
2012053145.tif 000011
【図１０】
2012053145.tif 000012
【図１１】
2012053145.tif 000013
【図１２】
2012053145.tif 000014
【図１３】
2012053145.tif 000015
【図１４】
2012053145.tif 000016
【図１５】
2012053145.tif 000017
【図１６】
2012053145.tif 000018
【図１７】
2012053145.tif 000019
【国際調査報告】
2012053145.tif 000020
2012053145.tif 000021